(57)【要約】      （修正有）【課題】液状化現象による電線共同溝の管路部の浮上を防止する。【解決手段】管路３の周囲に砂又は改良土４を配置し、該管路と該砕石又は該土砂とを、透水性があるが土砂を透さないシート２で把持し、かつ該シートが該管路下の底板４に接続されている構造により、底板の重量により液状化現象による管路の不規則な浮上を防止できる。さらにシートの周囲を、透水性の高い材料７、例えば砕石で充填すれば液状化泥水を上部に逃がすことができ、好ましい。【選択図】図１
2013150445.tif 000002
【特許請求の範囲】
【請求項１】
管路の周囲に砂又は改良土を配置し、該管路と該砂又は該改良土とを、透水性があるが土砂を透さないシートで把持し、かつ該シートが該管路下の底板に接続されていることを特徴とする電線共同溝の管路部。
【請求項２】
透水性があるが土砂を透さないシートが、更に補強材で補強されていることを特徴とする請求項１記載の電線共同溝の管路部。
【請求項３】
底板がプレキャストコンクリート製である請求項１又は２記載の電線共同溝の管路部。
【請求項４】
底板が上下方向の水抜き路を有するものである請求項１〜３の何れか１項記載の電線共同溝の管路部。
【請求項５】
補強材で補強された、透水性があるが土砂を透さないシートの一部が底板に埋め込まれていることを特徴とする請求項２〜４の何れか１項記載の電線共同溝の管路部。
【請求項６】
溝の底部に透水性の高い材料を施設し、該材料上に請求項１〜５の何れか１項記載の電線共同溝の管路部を設け、更に前記溝と該管路部との隙間及び該管路部上に透水性の高い材料を設けたことを特徴とする電線共同溝の管路部の設置構造。
【発明の詳細な説明】
【技術分野】
【０００１】
本発明は、電力線、電話線、通信線、光ケーブルなどの各種電線を地下に配線するための電線共同溝の管路部及びその設置構造に関する。
【背景技術】
【０００２】
近年の無電柱化推進計画では、複数種類の各種電線を一括的に電線共同溝（通称Ｃ．Ｃ．ＢＯＸ）に収容すると共に、この電線共同溝を幹線道路などの地下に埋設して、無電柱化が図られている。このような電線共同溝は埋設されている管路部と、管路部の一定間隔ごとに保守管理のための特殊部が設けられている。
一方、地震によって地盤が液状化した場合に、マンホールに浮力が作用して上部が路面の上に飛び出すことは良く知られている。
しかし実際にはマンホールだけでなく、電線共同溝の特殊部も浮上するおそれがあり、さらに長距離にわたって地中に配置してある管路部も不規則に浮上し、その結果途中で切断したり、実用に供することができない程度に破損してしまうおそれがある。
【０００３】
このような液状化現象による管路の浮上を阻止するものとして、例えば、地下埋設管の両側に、当該埋設管を挟んで対をなすボーリング孔を、埋設管が埋設された地盤より下層の硬質地盤に亘って一定間隔で削孔し、ボーリング孔内から埋設管の周囲にジェットグラウトを行って対をなすボーリング孔間に硬化材のジェットグラウト帯を形成した後、ボーリング孔内に鋼線又は鋼棒を挿入することを特徴とする浮上防止工法が知られている（特許文献１参照）。
【先行技術文献】
【特許文献】
【０００４】
【特許文献１】特開平７−２８６３５６号公報
【発明の概要】
【発明が解決しようとする課題】
【０００５】
このような浮上防止工法によれば、液状化現象による管路の浮上を防止し得るが、コストがかかりすぎ、また電線共同溝の管路部は、比較的細い電線の管が複数あり、管路の増設や分岐の工事の必要もあるため、このような埋設管の周囲にジェットグラウトを行い管路を固定してしまう工法は不向きである。
従って、本発明の目的は液状化現象による電線共同溝の管路部の浮き上がりを、上記問題点がなく、簡単かつ有効に防止することにある。
【課題を解決するための手段】
【０００６】
斯かる実情に鑑み、本発明者は鋭意研究を行った結果、管路の周囲に砂又は改良土を配置し、該管路と該砂又は該改良土とを、透水性があるが土砂を透さないシートで把持し、かつ該シートをウエイトとなる底板と接続することにより、液状化現象による管路の不規則な浮上を簡単かつ有効に防止できることを見出し、本発明を完成した。
【０００７】
すなわち、本発明は、管路の周囲に砂又は改良土を配置し、該管路と該砂又は該改良土とを、透水性があるが土砂を透さないシートで把持し、かつ該シートが該管路下の底板に接続されていることを特徴とする電線共同溝の管路部を提供するものである。
【０００８】
また、本発明は、前記シートが、更に補強材で補強されていることを特徴とする上記電線共同溝の管路部を提供するものである。
また、本発明は、前記底板がプレキャストコンクリート製である上記電線共同溝の管路部を提供するものである。
さらに、前記底板が上下方向の水抜き路を有するものである上記電線共同溝の管路部を提供するものである。
さらに、本発明は、補強材で補強された、透水性があるが土砂を透さないシートの一部が底板に埋め込まれていることを特徴とする上記電線共同溝の管路部を提供するものである。
さらにまた、本発明は、溝の底部に透水性の高い材料を施設し、該材料上に上記の何れかの電線共同溝の管路部を設け、更に前記溝と該管路部との隙間及び該管路部上に透水性の高い材料を設けたことを特徴とする電線共同溝の管路部の設置構造を提供するものである。
【発明の効果】
【０００９】
本発明によれば、電線共同溝の管路部の液状化現象による浮上、特に管路毎の不規則な浮上を簡単かつ有効に防止することができる。
【図面の簡単な説明】
【００１０】
【図１】電線共同溝の管路部の概略縦断面図である。
【図２】電線共同溝の特殊部本体と管路部との接続箇所の一部を拡大した概略縦断面図である。
【発明を実施するための形態】
【００１１】
本発明における好適な実施の形態について、添付図面と共に更に詳細に説明するが、本発明はこれらに限定されるものではない。
【実施例１】
【００１２】
以下、図面を参照して実施例について説明する。
図１は、本発明の電線共同溝の管路部の一実施例を示すものである。
図１に示すように、本発明は、管路３の周囲に砂又は改良土４を配置し、管路３と砂又は改良土４とを、透水性があるが土砂を透さないシート２で把持し、かつ該シートが該管路下の底板１に接続されている構造である。
本発明は、このような構成により、主に管路の浮上を底板の重量により防止し、管路の不規則な浮上を該シートで防止せんとするものである。
【００１３】
本発明で用いる底板１は、その重量により、液状化現象による管路の浮上を防止するものであり、比重が大きいものが好ましい。底板として好ましいものとしては、コンクリート、鉄、石材等が挙げられるが、コスト、利便性を考慮するとプレキャストコンクリートが特に好ましい。また、底板は、液状化泥水を上方に逃がすための水抜き路を有していてもよい。
本発明においては、底板、透水性があるが土砂を透さないシート、及び該シートに包まれた管路と内側の砂等の全てを含む管路部のみかけ比重は、浮上防止のため、液状化現象による泥水の比重を超えることが必要である。従って、底板の材料、重量、大きさは、これに従って決定すればよい。
【００１４】
本発明で用いる透水性があるが土砂を透さないシート２は、底板と共に管路の浮上、特に管路の不規則な浮上を防止せんとするものである。本発明で用いる透水性があるが土砂を透さないシート２としては、透水性を有し、土砂を透さないシートであれば使用することができ、土砂の吸出し防止材等が使用でき、市販のものとしては、ポリエステル系短繊維不織布、例えば、前田工繊社製サンドフ（登録商標）等が挙げられる。また、このシートのみでは、強度が不足していると思われる場合は、補強材５を併用してもよい。補強材としては、特に限定されないが、盛土、地盤補強用のシート、特にジオグリッドが好ましいものとして挙げられ、市販のものとしては、例えば、前田工繊社製アデム（登録商標）等が挙げられる。
本実施例では、透水性があるが土砂を透さないシート２はさらに補強材５により補強されており、該シート２及び補強材５は底板の外縁に接続されているが、この接続態様は特に限定されない。本実施例では、図１に示すようにプレキャストコンクリートの底板中にシート２と補強材５の一部がすでに埋め込まれている。このような構造にすることで、液状化による管路の不規則な浮上を強力に阻止することができる。
本発明に用いる、改良土は、一般の土砂に改良剤を混入、混合して固めたものであり、改良剤は、一般に、土砂用のセメント系固化剤、固化剤、改良剤など呼称されているもので、セメント系、石灰系などがあり、具体的には、セメント系固化材では、ソリッドエース（麻生ラファージュセメントの登録商標）、ジオセット（太平洋セメントの登録商標）等が挙げられ、石灰系では、生石灰、消石灰が挙げられる。
【００１５】
次に施工方法について説明する。まず、歩道などの新設すべき所定位置を掘削して、掘削した溝の左右両側に仮設土留９を設置する。次に、溝の底面を平らにならして、この溝の底に透水性の高い材料７、すなわち比較的多くの空隙が形成されるように充填される材料、具体的には砕石等を収納し敷き固め、この上面に底板１を配置する。次に、底板１上の空間に管路（電線）３を設け、そして、管路３の周囲に砂又は改良土４を配置すると共に、これら管路３と内側の砂又は改良土４を透水性があるが土砂を透さないシート２で包みこむ。本実施例では、シート２は補強材５により補強されており、シート２及び補強材５は底板の外縁に接続されている。また、本実施例では、シート２及び補強材５は、夫々２枚で構成されており、上部でこれを重ね合わせ、さらにこの重ね合わせ部分を螺旋金具６で係止している。このように、透水性があるが土砂を透さないシート２の上部が開く構造にすると施工性が向上する。さらに、シート２と仮設土留９の間、およびシート２の上部を、透水性の高い材料７、ここでは砕石で充填すれば液状化泥水を上部に逃がすことができ、好ましい。そして、最後にこれらの上に舗装面を形成すればよい。
【実施例２】
【００１６】
本発明の電線共同溝の管路部と特殊部本体８との接続は、例えば、図２に示すような構造が挙げられるがこれに限定されない。この接続構造は、特殊部本体８側版部のノックアウトを囲むように透水性があるが土砂を透さないシート２の端部を特殊部本体８側版部に接続すると共に、その端部を固定金具11を介してネジ部材10で固定するものである。固定金具11は、特殊部本体８側版部に対向する第一の面とシート２に対向する第二の面を有する断面Ｌ字形をなしている。本実施例では、透水性があるが土砂を透さないシート２と補強材５の両方が特殊部本体８側版部に接続している構造になっている。
【産業上の利用可能性】
【００１７】
以上のように本発明は、比較的簡易な構造で容易に電線共同溝の管路部の不規則な浮上を防止できるので、産業上の利用性は高い。
【符号の説明】
【００１８】
１  底板
２  透水性があるが土砂を透さないシート
３  管路（電線）
４  砂又は改良土
５  補強材
６  金具
７  透水性の高い材料
【図１】
2013150445.tif 000003
【図２】
2013150445.tif 000004